(57)【要約】【課題】縦縞模様のサポートシートをバックフレームに正確に位置決めされた状態で容易に取り付けることを可能ならしめる。【手段】サポートシート３には、アッパー係止板１２及びサイド係止板１３が逢着されている。係止板１２，１３はサポートシート３の裏側に１回転させた状態でバックフレーム２の係合溝１１に嵌め込まれている。アッパー係止板１２の左右両端部にはカール部１７と下向き延長部１８とが一体に形成されている。かつ、カール部１７の箇所は逢着されていない非固定部１９，２０になっており、サポートシート３の非固定部１９はヒダ状に膨らんでいる。サポートシート３はカール部１７と下向き延長部１８とで正確に位置決めされる。サポートシート３の非固定部１９が対角方向に伸び移動するため、バックフレーム２へのアッパー係止板１２の嵌め込みも容易に行える。【選択図】図５
2010142552.tif 000002
【特許請求の範囲】
【請求項１】
左右長手のアッパーメンバーと上下長手の左右サイドメンバーとを有していて上部に左右の上コーナー部が形成されているバックフレームと、前記バックフレームに前から重なる可撓性のサポートシートとを有しており、
前記バックフレームにおけるアッパーメンバーとサイドメンバーとの外周には、前記上コーナー部を通って一連に延びる係合溝が形成されている一方、
前記サポートシートの周縁には、前記バックフレームのアッパーメンバーに対応した帯状のアッパー係止板とバックフレームのサイドメンバーに対応したサイド係止板が取り付けられており、前記アッパー係止板及びサイド係止板は、サポートシートの裏側に１回転させてサポートシートで巻かれた状態でバックフレームの係合溝に嵌め込まれている、
という背もたれであって、
前記アッパー係止板の左右両端には、前記バックフレームの上コーナー部に重なるカール部とこのカール部から下方に延びる下向き延長部とが一体に形成されており、前記下向き延長部の下方にサイド係止板が配置されている、
椅子の背もたれ。
【請求項２】
前記アッパー係止板は、カール部を中心にした部分の全体又は一部を除いてサポートシートに逢着されており、このため、アッパー係止板とサポートシートとは互いに逢着されていない非固定部を有している、
請求項１に記載した椅子の背もたれ。
【請求項３】
前記サポートシートの非固定部を周縁方向に沿って計った長さはアッパー係止板における非固定部の周縁方向の長さよりも長くなっており、このため、前記サポートシートの非固定部は、バックフレームへの取り付け前の状態で、アッパー係止板の非固定部の箇所で袋状になるように大きく蛇行している、
請求項２に記載した椅子の背もたれ。
【請求項４】
左右長手のフロントメンバーと前後長手の左右サイドメンバーとを有していて前部に左右の前コーナー部が形成されている座フレームと、前記座フレームに上から重なる可撓性のサポートシートとを有しており、
前記座レームにおけるフロントメンバーとサイドメンバーとの外周には、前記前コーナー部を通って一連に延びる係合溝が形成されている一方、
前記サポートシートの周縁には、前記座フレームのフロントメンバーに対応した帯状のフロント係止板と座フレームのサイドメンバーに対応したサイド係止板が取り付けられており、前記フロント係止板及びサイド係止板は、サポートシートの裏側に１回転させてサポートシートで巻かれた状態で座フレームの係合溝に嵌め込まれている、
という椅子の背もたれであって、
前記フロント係止板の左右両端には、前記座フレームの前コーナー部に重なるカール部とこのカール部から後方に延びる後ろ向き延長部とが一体に形成されており、前記後ろ向き延長部の後方にサイド係止板が配置されている、
椅子の座。
【発明の詳細な説明】
【技術分野】
【０００１】
本願発明は、椅子の背もたれ及び座に関する。より詳しくは、着座者の荷重（体圧）を可撓性のサポートシートで支持する方式の背もたれ及び座に関する。
【背景技術】
【０００２】
椅子の背もたれや座において、着座者の体圧を織地や編地から成るメッシュ状やネット状等の可撓性のサポートシートで支持するタイプのものがある。このタイプでは、サポートシートは表裏に開口した支持フレームに取り付けられる。サポートシートを支持フレームに取り付ける構造の一例として、特許文献１には、サポートシートの周縁に帯状の係止板を取り付けておく一方、支持フレームの外周にはその長手方向に延びる係合溝を形成し、係止板を係合溝に嵌め込むという構造が開示されている。
【０００３】
この特許文献１の構成では、係止板はサポートシートの弾性に抗して支持フレームの係合溝に嵌め込むことになり、ビス等のファスナー類や溶着設備が不要である利点を有する。
【特許文献１】米国特許第３０２４０６８号明細書
【発明の開示】
【発明が解決しようとする課題】
【０００４】
さて、椅子の背もたれや座は人目に触れるものであるため見た目の美しさは重要であり、美感を高めるための一つの手段として、サポートシートに例えば縦縞模様や横縞模様や格子模様のような模様（例えば、編み柄・織り柄・プリント柄）を付与することが考えられる。この場合、縞や格子等の模様（柄）は左右対称及び上下対称にきっちりと仕上がっていないと体裁は良くなく、例えば縦縞模様の場合に縞（ストライプ）が斜めに傾斜していると見栄えはかなり悪化する。
【０００５】
他方、背もたれにしても座にしても一般には四角形に近い形態になっており、そこで背もたれを例にとると、図７に模式的に示すように、サポートシート３１の周縁に、アッパー係止板３２と左右サイド係止板３３とロア係止板３４とを取り付けて、これらの係止板３２〜３４をバックフレーム３５の係合溝３６に嵌め込むことになるが、例えばアッパー係止板３２が右又は左にずれてしまって綺麗に仕上げることが難しく、縦縞が斜めになったり上コーナー部で縞（ストライプ）がいびつにゆがんだりすることがある。
【０００６】
また、各係止板３２〜３４をサポートシート３１の裏側に向けて１回転させて（畳み込んで）係止板３２〜３４をサポートシート３１で包むと、係止板３２〜３４がサポートシート３１から外れることを確実に防止できる利点や、サポートシート３１に強いテンションを掛けることができてバックフレーム３５からの外れ防止機能も確実化できる利点、或いは、サポートシート３にテンションをかけることができてクッション性を確保できる利点があるが、サポートシート３１がバックフレーム３５の上コーナー部の箇所で外にはみ出る現象が生じており、そこで、マイナスドライバーのような押し具ではみ出た部分３１ａをバックフレーム３５の係合溝３６に押し込まねばならず、これに手間がかかるという問題もあった。
【０００７】
本願発明は、このような現状を改善すべく成されたものである。
【課題を解決するための手段】
【０００８】
本願発明は各請求項の構成を備えている。このうち請求項１は背もたれに関するものであり、背もたれは、まず、左右長手のアッパーメンバーと上下長手の左右サイドメンバーとを有していて上部に左右の上コーナー部が形成されているバックフレームと、前記バックフレームに前から重なる可撓性のサポートシートとを有しており、前記バックフレームにおけるアッパーメンバーとサイドメンバーとの外周には、前記上コーナー部を通って一連に延びる係合溝が形成されている。
【０００９】
一方、前記サポートシートの周縁には、前記バックフレームのアッパーメンバーに対応した帯状のアッパー係止板とバックフレームのサイドメンバーに対応したサイド係止板が取り付けられており、前記アッパー係止板及びサイド係止板は、サポートシートの裏側に１回転させてサポートシートで巻かれた状態でバックフレームの係合溝に嵌め込まれている。
【００１０】
そして、上記の構成において、請求項１の発明では、前記アッパー係止板の左右両端には、前記バックフレームの上コーナー部に重なるカール部とこのカール部から下方に延びる下向き延長部とが一体に形成されており、前記下向き延長部の下方にサイド係止板が配置されている。
【００１１】
また、請求項２の発明は、請求項１において、前記アッパー係止板は、カール部を中心にした部分の全体又は一部を除いてサポートシートに逢着されており、このため、アッパー係止板とサポートシートとは互いに逢着されていない非固定部を有している。請求項２の好適な具体例として請求項３では、前記サポートシートの非固定部を周縁方向に沿って測った長さはアッパー係止板における非固定部の周縁方向の長さよりも長くなっており、このため、前記サポートシートの非固定部は、バックフレームへの取り付け前の状態で、アッパー係止板の非固定部の箇所で袋状になるように大きく蛇行している。
【００１２】
請求項４の発明は座に関するものであるが、この座の発明は本質的には請求項１と同じであり、フロント係止板にカール部とこれに連続した後ろ向き延長部とを形成している点に特徴を有している。
【発明の効果】
【００１３】
請求項１の発明では、アッパー係止板にカール部とこれに連続した下向き延長部が形成されていることにより、アッパー係止板は左右いずれの方向にもずれることはなくて、正確に位置決めされた状態でバックフレームの上部に取り付けることができる。このため、サポートシートが縦縞等の縞模様（縞柄）や格子模様（格子柄）のような模様を有していても、模様がいびつに表れることはなくて優れた見栄えを実現できる。
【００１４】
また、サポートシートのコーナー部はアッパー係止板のカール部に巻かれているため、サポートシートのコーナー部がバックフレームのコーナーから外側にはみ出ることはないのであり、このため、サポートシートのコーナー部を一々バックフレームの係合溝に押し込む作業は不要になって、背もたれの組み立て作業の能率をアップできる。
【００１５】
サポートシートに係止板を取り付ける手段としては、接着や溶着やタッカー止め等の様々の構造を採用できるが、請求項２のように逢着による取り付けを採用すると、ミシン掛けという簡単な作業で能率良くしかも強固に取り付けできる利点がある。
【００１６】
さて、アッパー係止板にカール部を形成すると、アッパー係止板を１回転させたときにカール部の内側に皺がよると共に、バックフレームに取り付けたときに過大なテンションが掛かってバックフレームへの取り付けに大きな力が必要になることがある。この点、請求項２のようにカール部の全体又は一部を非逢着されていない非固定部を設けると、カール部の箇所においてサポートシートが内側に引っ張られることが許容されるため、皺の発生を防止又は抑制して美感を確保できると共に、バックフレームへの取り付に際してのテンションを抑制して組み立てを容易ならしめることができる。
【００１７】
他方、各係止板をサポートシートの裏側に１回転させる（畳み込む）と、サポートシートは係止板の巾寸法の２倍の寸法だけ縦横の寸法は小さくなる。従って、サポートシートは、係止板を１回転させて大きさが小さくなった状態での全周の長さがバックフレームの外周の全長とおおむね同じ程度になるように設定しておくのが好ましく、そのためには、サポートシートに係止板を取り付けただけの状態では、サポートシートの外周の全長はバックフレームの外周の全長よりも長く設定しておくのが望ましい。しかし、単に係止板をサポートシートに重ねて固定しただけでは、全周の長さを長くすることはできない。
【００１８】
この点、請求項３の構成を採用すると、サポートシートは非固定部の箇所でヒダ寄せすることで周縁方向の長さを長く取ることができるため、いわば、サポートシートは非固定部の箇所がバッファ部になるのであり、その結果、アッパー係止板を１回転させた状態でカール部の箇所でサポートシートに過大なテンションが掛かることを防止して、バックフレームへの取り付けを容易に行うことできると共に、バックフレームに取り付けた状態でテンションが強すぎて耐久性が低下したりクッション性が低下したりすることを防止できる。
【００１９】
座に関する請求項４の発明は請求項１と同じ効果を奏する。敢えて述べるまでもないが、座に関しても請求項２，３の構成を付加することは可能である。
【発明を実施するための最良の形態】
【００２０】
次に、本願発明の実施形態を図面に基づいて説明する。本実施形態は椅子の背もたれに適用しており、図１のうち（Ａ）は本実施形態の背もたれ１を有する椅子の外観斜視図、（Ｂ）は背もたれ１の部分的な一部破断概略正面図であり、本実施形態は、事務用等に多用されるロッキング式回転椅子に適用している。
【００２１】
(1).バックフレーム
図１（Ｂ）に示すように、背もたれ１は前後に開口したバックフレーム２とこれに取り付けたサポートシート３とで構成されている。サポートシート３は縦縞模様の外観を呈している。図２（Ａ）に示すように、バックフレーム２は揺動フレーム４に固定されている。バックフレーム２は、その上端を構成する左右横長のアッパーメンバー５と、左右側部を構成する上下長手の左右サイドメンバー６と、下端を構成する左右横長のロアメンバー７とからなっており、左右のサイドメンバー６は揺動フレーム４に設けた背支柱４ａの前面に固定されている。また、左右の揺動フレーム４は、背支柱４ａの下端の箇所において左右横長のステー８で連結されている。
【００２２】
図２（Ｂ）はバックフレーム２を横に寝かせて下方から見た図、図３のうち（Ａ）は背もたれ１の一部破断正面図、（Ｂ）はサポートシート３の部分的な正面図、（Ｃ）はサポートシート３の部分的な平断面図、（Ｄ）は（Ａ）のＤ−Ｄ視断面図、（Ｅ）は（Ａ）のＥ−Ｅ視断面図、（Ｆ）は（Ａ）のＦ−Ｆ視断面図である。
【００２３】
図３（Ｂ）（Ｃ）に明示するように、サポートシート３は厚肉状で縦長の多数本の厚肉部３ａを有しており、隣り合った厚肉部３ａは太い弾性糸３ｂの群で繋がっている。従って、隣り合った厚肉部３ａの間の部位は表裏に透けた空間になっている。縦長の厚肉部３ａと縦長の空間とが並列して左右に交互に並んでいることにより、サポートシート３は全体として縦縞の外観を呈している。なお、サポートシート３はダブルラッセル機によって編成されており、厚肉部３ａは細い糸で編まれた複層構造になっている。
【００２４】
バックフレーム２は樹脂を素材として全体が一体に製造された成形品であり（金属製とすることも可能である）、左右のサイドメンバー６は側面視で前向き凸状に緩く曲がっており、また、アッパーメンバー５とロアメンバー７とは平面視で前向き凹状に湾曲している。また、バックフレーム２は４本のメンバーによってほぼ四角形（縦長長方形）の形態になっているので、上部には左右２つの上コーナー部９が存在し、下部には左右２つの下コーナー部１０が存在している。左右サイドメンバー６の下端部は内向きに傾斜した傾斜部６ａになっている。また、図２（Ａ）に示すように、ロアメンバー７の左右両端部は揺動フレーム４に重なる重合部７ａになっている。
【００２５】
図３（Ｄ）（Ｅ）（Ｆ）に示すように、バックフレーム２における各メンバーの外周面には、サポートシート３を取り付けるための係合溝１１が空いている。係合溝１１は、アッパーメンバー５とサイドメンバー６とにおいては一連に延びており、従って係合溝１１は上コーナー部９にも形成されている。他方、サイドメンバー６における傾斜部６ａの略下半分とロアメンバー７の重合部７ａとには係合溝１１は形成されておらず、従って、係合溝１１は下コーナー部１０の箇所では途切れている。
【００２６】
係合溝１１は、アッパーメンバー５の箇所では側断面視で斜め後ろに開口するように後傾しており、ロアメンバー７の箇所では斜め後ろに開口するように前傾しており、更に、サイドメンバー６の箇所では平断面視でやや後ろ向きに開口するように傾斜している。これらは、サポートシート３に体圧が掛かっても抜けにくくするための措置である。
【００２７】
(2).サポートシート
図４は、サポートシート３とバックフレーム２との部分的な分離正面図であり、この図の示すように、サポートシート３の周縁部の裏面には、バックフレーム２のアッパーメンバー５に対応したアッパー係止板１２と、サイドメンバー６のうち下傾斜部６ａを除いた部分に対応した第１サイド係止板１３と、サイドメンバー６の下傾斜部６ａに対応した第２サイド係止板１４と、ロアメンバー７に対応したロア係止板１５とが取り付けられている。各係止板は樹脂シートのような弾性を有する素材からなっており、その片面をサポートシート３に重ねた状態で、サポートシート３に逢着されている（すなわち糸で固定されている。）。逢着部を符号１６で示している。本実施形態では逢着部１６は１条のみになっているが、複数条の箇所で逢着することも可能である。
【００２８】
サイド係止板を第１サイド係止板１３と第２サイド係止板１４とに分離したのは、サイドメンバー６が下傾斜部６ａを有しているからであるが、全体を一体に連続させることも可能である。サポートシート３を展開した正面視で、アッパー係止板１２は上向き凸に湾曲しており、ロア係止板１５は下向き凸に湾曲している。これは、バックフレーム２のアッパーメンバー５及びロアメンバー７が前向き凹状に湾曲しているるので、係止板１２，１５を湾曲させることで長さを揃えているのである。
【００２９】
図５のうち（Ａ）は、サポートシート３の１つの上コーナー部９の箇所を中心にした背面図、（Ｄ）は（Ａ）を白抜き矢印Ａの方向から見た図である。この図に明瞭に示すように、アッパー係止板１２の左右両端には、バックフレーム２の上コーナー部９に重なるカール部１７と、カール部１７の下端から下向きに延びる下向き延長部１８とが一体に設けられている。そして、サポートシート３とアッパー係止板１２とは、カール部１７を中心にしてその両側に広がる非固定部１９，２０を有しており、両者は非固定部１９，２０の箇所では逢着されていない。  なお、カール部１７の位置と境界は明確には規定し難いが、概ね、方向を大きく変えて曲がっている部分であるということができる。
【００３０】
図５（Ｄ）に示すように、サポートシート３の非固定部１９は、大きなヒダを寄せた状態になっており、このため、図５（Ａ）の矢印Ｄの方向（背もたれ１の対角外方向外側から見た方向）から見て縁が大きく蛇行して袋状（或いはポケット状）に膨れている。従って、サポートシート３のうちアッパー係止板１２に取り付けれた部分の外周の長さは、アッパー係止板１２の外周の長さによりも長くなっている。このためサポートシート３を全体として袋状に膨れた形態と成すことができる。
【００３１】
サポートシート３は、第２サイド係止板１４とロア係止板１５との間においても係止板との逢着がなされていないフリー部２１（図４参照）になっているが、フリー部２１の巾寸法をサイドメンバー６の係合溝１１の下端とロアメンバー７の係合溝１１の端との間の寸法より大きい寸法に設定しておいても良い。かくすることにより、バックフレーム２に張った場合に下コーナー部１０の箇所でサポートシート３に過大なテンションが掛かることを防止できる。
【００３２】
(3).サポートシートの取り付け
背もたれ１の組み立ては、図５（Ｂ）（Ｃ）に示すように係止板１２〜１５を１回転させてからバックフレーム２の係合溝１１に嵌め込むことで行われる。各係止板１２〜１５の嵌め込みは、例えば、アッパー係止板１２→一方のサイド係止板１３，１４→他方のサイド係止板１３，１４→ロア係止板１５、という手順で行われる。アッパー係止板１２はコの字の形態を成しているので、最初に嵌め込むのが得策である。
【００３３】
上記の順序での嵌め込みの場合、アッパー係止板１２と一方のサイド係止板１３，１４の嵌め込みのときにはサポートシート３にはさほどのテンションは掛かっていない。他方のサイド係止板１３，１４の嵌め込みと、ロア係止板１５の嵌め込みとはサポートシート３を大きく引っ張って弾性変形させた状態で行う。サポートシート３を取り付けた後は、サポートシート３はピンと張った状態に保持されている。
【００３４】
そして、アッパー係止板１２はカール部１７と下向き延長部１８とを有していることにより、バックフレーム２におけるアッパーメンバー５とサイドメンバー６との係合溝１１にきっちり嵌まるので、左右位置は正確に位置決めされおり、従って、サポートシート３は図３に表示されているように縦縞が真っ直ぐに延びると共に左右対称の状態になり、従って見栄えが良い。
【００３５】
なお、コーナー部（特に上コーナー部９）では、サポートシート３には複雑な方向の外力が掛かるため、サポートシート３の縦縞は完全な平行にはならずに正面視で曲がった状態になることがあるが、この場合も左右対称の状態になるため美感の悪化はない。
【００３６】
さて、サポートシート３は上コーナー部９の箇所において背もたれ１の対角方向に大きく引っ張られることになり、このため、アッパー係止板１２が全長にわたってサポートシート３に逢着されていると、サポートシート３の折り返し縁２２（図５（Ｃ）参照）は、アッパー係止板１２の内周面に密着せずに図５（Ａ）に二点鎖線で示すようにアッパー係止板１２の内角から離れた状態になることがある。
【００３７】
すると、アッパー係止板１２をバックフレーム２の係合溝１１に嵌め込むにおいて、コーナー部の箇所での折り返し縁２２がバックフレーム２における上コーナー部９の係合溝１１の内面に突っ張って、結果としてアッパー係止板１２がアッパーメンバー５の係合溝１１に深く入り込ませにくくなると共に、ロア係止板１５をロアメンバー７の係合溝１１に嵌め込むに際してサポートシート３に過大なテンションで生じる虞がある。
【００３８】
これに対して本実施形態のように、アッパー係止板１２のカール部１７を中心にした部分を非固定部１９，２０とすると、アッパー係止板１２をバックフレーム２の係合溝１１に嵌め込むにおいて、サポートシート３のうち非固定部１９の箇所の箇所がずれ移動することにより、折り返し部２２がカール部１７の内周に軽い力で密着するのであり、その結果、アッパー係止板１２をバックフレーム２の係合溝１１にしっかりと嵌め込むことができる。これにより、サポートシート３のうち上コーナー部９の箇所において過大なテンションが作用することを防止又は著しく抑制して、ロア係止板１５の嵌め込みを容易に行えると共に、下向き延長部１８のストライプが上コーナー部９の箇所でいびつに変形して見栄えが悪くなる不具合を防止できる。
【００３９】
見方を変えて述べると、本実施形態では、サポートシート３の外周の長さを長くすることでバックフレーム２への上コーナー部９の嵌め込みを容易ならしめつつ、サポートシート３の縁部を長くしたことによって生じる皺を上コーナー部９の箇所で吸収していると言える。
【００４０】
(4).変形例
図４では変形例を示している。（Ａ）はサポートシート３の部分的な背面図、（Ｂ）は（Ａ）を矢印Ｂの方向から見た図である。この変形例では、カール部１７の中心部は逢着部１６になっており、上コーナー部９の中心部を挟んだ両側に２つの非固定部１９が設けられている。
【００４１】
２つの非固定部１９の箇所では、サポートシート３は大きくヒダを寄せた状態に膨らんでいる。本変形例では、非固定部１９が複数存在することにより、伸びを均等化しつつ、サポートシート３における非固定部１９の縁の全長を長くすることができる。
【００４２】
つまり、１つの非固定部１９のみでサポートシート３を大きく膨らませると、テンションの掛かり方によって皺が発生する虞があるが、膨らみをアッパー係止板１２の周方向に分けて設けると、サポートシート３がアッパー係止板１２の周方向に沿った複数箇所で均等に引っ張られるため、皺の発生を防止しつつ、アッパー係止板１２をバックフレーム２の係合溝１１に容易にしっかりと嵌め込むことができるのである。
【００４３】
(5).その他
本願発明は上記の実施形態の他にも様々に具体化できる。例えば、本願発明は椅子の座にも適用できる。また、本願発明が適用対象がロッキング式の回転椅子に限定されないことは勿論で、例えばパイプ椅子など各種の椅子に適用できる。また、背もたれと座とが一体に連続した椅子（ソファ）にも適用できる。
【００４４】
背もたれを例に取ると、アッパー係止板とロア係止板との両方にカール部及び延長部を設けることや、１カ所のコーナー部に３つ以上の非固定部を設けることも可能である。また、カール部及び延長部が形成されている係止板を左右複数に分割することも可能である。更に、請求項からは外れるが、サイドメンバーにカール部とこれに連続した横長延長部を一体に設けることも可能である。
【図面の簡単な説明】
【００４５】
【図１】（Ａ）は本願発明を適用した椅子の斜視図、（Ｂ）は背もたれの部分的な概略正面図である。
【図２】（Ａ）はバックフレームを前方から見た斜視図、（Ｂ）はバックフレームを下方から見た斜視図である。
【図３】（Ａ）は背もたれの一部破断正面図、（Ｂ）はサポートシート３の部分的な正面図、（Ｃ）はサポートシートの部分的な平断面図、（Ｄ）（Ｅ）（Ｆ）は（Ａ）のＤ−Ｄ視断面図，Ｅ−Ｅ視，Ｆ−Ｆ視断面図である。
【図４】サポートシートとバックフレームとの部分的な分離正面図である。
【図５】（Ａ）は、サポートシートの１つの上コーナー部の箇所を中心にした背面図、（Ｂ）（Ｃ）は折り返し手順を示す図、（Ｄ）は（Ａ）を矢印Ａの方向から見た図である。
【図６】変形例を示す図である。
【図７】従来技術を示す図である。
【符号の説明】
【００４６】
１  背もたれ
２  バックフレーム
３  サポートシート
５  アッパーメンバー
６  サイドメンバー
７  ロアメンバー
９  上コーナー部
１１  係合溝
１２  アッパー係止板
１３，１４  サイド係止板
１６  逢着部
１７  カール部
１８  下向き延長部
１９  サポートシートの非固定部
２０  アッパー係止板の非固定部
【図１】
2010142552.tif 000003
【図２】
2010142552.tif 000004
【図３】
2010142552.tif 000005
【図４】
2010142552.tif 000006
【図５】
2010142552.tif 000007
【図６】
2010142552.tif 000008
【図７】
2010142552.tif 000009